(57)【特許請求の範囲】
【請求項１】
本身の背に貼り付けられる製本テープの表面をプリンターで印刷するための台紙付き製本テープであって、
前記本身の背に貼り付けられる製本テープと、
前記製本テープの裏面に設けられた粘着剤と、
前記粘着剤を介して、前記製本テープに貼り付けられた剥離紙と、
前記製本テープより大きいと共に、前記剥離紙を介して、前記製本テープが取り付けられた台紙と、を備え、
前記剥離紙は、
前記製本テープの両側に貼り付けられた一対の端剥離紙と、
前記製本テープの中央に貼り付けられた中央剥離紙と、からなり、
前記台紙は、
前記中央剥離紙のみを介して、前記製本テープに取り付けられている
ことを特徴とする台紙付き製本テープ。
【請求項２】
前記台紙の大きさは、用紙規格サイズである
ことを特徴とする請求項１に記載の台紙付き製本テープ。
【請求項３】
前記製本テープは、前記台紙付き製本テープが前記プリンターで搬送されるときに、前記プリンターに設けられた２枚送り防止ローラーに接触しないように、前記台紙の幅方向の中央線からオフセットした位置で、前記台紙に取り付けられている
ことを特徴とする請求項１又は２に記載の台紙付き製本テープ。
【請求項４】
請求項１又は２に記載の台紙付き製本テープを準備するステップと、
前記台紙付き製本テープを前記プリンターに配置するステップと、
前記プリンターで前記台紙付き製本テープの前記製本テープの表面を印刷するステップと、
前記プリンターで印刷された前記台紙付き製本テープから、前記中央剥離紙と共に前記台紙を取り外すステップと、
前記一対の端剥離紙が貼り付けられた前記製本テープを、前記本身に貼り付けるステップと、
前記製本テープから前記一対の端剥離紙を取り外し、前記製本テープを前記本身に貼り付けるステップと、を備える
ことを特徴とする台紙付き製本テープの使用方法。
【請求項５】
請求項３に記載の台紙付き製本テープを準備するステップと、
前記プリンターに設けられた２枚送り防止ローラーに前記製本テープが接触しないように、前記台紙付き製本テープを前記プリンターに配置するステップと、を備える
ことを特徴とする請求項４に記載の台紙付き製本テープの使用方法。
【請求項６】
製本機を使って、前記製本テープを前記本身に貼り付ける
ことを特徴とする請求項４又は５に記載の台紙付き製本テープの使用方法。
【発明の詳細な説明】
【技術分野】
【０００１】
本発明は、小冊子類の本身の背に貼り付けられる製本テープをプリンターで印刷するための台紙付き製本テープ及びその使用方法に関する。
【背景技術】
【０００２】
小冊子類を製造する際に、本身の背に製本テープを貼り付けることがある（例えば特許文献１参照）。製本テープの裏面には、粘着剤が塗布されており、この粘着剤を介して、製本テープは本身の背に貼り付けられる。
【０００３】
製本テープは、本身に貼り付けられる前では、粘着剤を介して、剥離紙が貼り付けられる。剥離紙は、製本テープを本身に貼り付ける際に、製本テープが本身以外に貼り付くことを防止する。そして、製本テープから剥離紙を剥がして、露呈された粘着剤を介して、製本テープを本身に貼り付ける。製本テープの貼り付け作業は、作業者の手、又は製本機によって行われる。
【０００４】
ところで、製本テープの長さは、本身の背に貼り付けられるので、本身の長さと同じである。そのため、例えば、本身がＡ４サイズ（２９７ｍｍ×２１０ｍｍ）であれば、製本テープの長さは約２９７ｍｍである。一方、一般的な小冊子類の場合、本身の背の幅は短いので、製本テープの幅も短くなっており、例えば、約４０ｍｍである。
【０００５】
製本テープの表面に文字等を付けるとき、一般的には、作業者の手で筆記具を使って製本テープに文字等を記載するか、又は、文字等が印刷された別のテープを作成して、別のテープを製本テープに貼り付けていた。そのため、作業者の手間がかかっていた。
【０００６】
そこで、プリンターを使って、製本テープの表面に文字等を印刷することが考えられる。しかし、一般的なプリンター及びそれを制御するプリンタードライバーは、Ａ４サイズやＢ５サイズ等の予め設定された用紙規格サイズの用紙を印刷できるように構成されている。そのため、製本テープの幅は、用紙規格サイズの幅よりも非常に短いので、一般的なプリンター及びそのプリンタードライバーでは、製本テープを印刷できない。
【先行技術文献】
【特許文献】
【０００７】
【特許文献１】公開実用平２−７３３５８号公報
【発明の概要】
【発明が解決しようとする課題】
【０００８】
そこで、本発明が解決しようとする課題は、一般的なプリンター及びそれを制御するプリンタードライバーを使って、製本テープの表面に文字等を印刷できる台紙付き製本テープ及びその使用方法を提供することである。
【課題を解決するための手段】
【０００９】
上記課題を解決するために、本発明に係る台紙付き製本テープは、
（１）本身の背に貼り付けられる製本テープの表面をプリンターで印刷するための台紙付き製本テープであって、
本身の背に貼り付けられる製本テープと、
製本テープの裏面に設けられた粘着剤と、
粘着剤を介して、製本テープに貼り付けられた剥離紙と、
製本テープより大きいと共に、剥離紙を介して、製本テープが取り付けられた台紙と、を備え、
剥離紙は、
製本テープの両側に貼り付けられた一対の端剥離紙と、
製本テープの中央に貼り付けられた中央剥離紙と、からなり、
台紙は、
中央剥離紙のみを介して、製本テープに取り付けられている。
【００１１】
好ましくは、
（２）台紙の大きさは、用紙規格サイズである。
【００１２】
好ましくは、
（３）製本テープは、台紙付き製本テープがプリンターで搬送されるときに、プリンターに設けられた２枚送り防止ローラーに接触しないように、台紙の幅方向の中央線からオフセットした位置で、台紙に取り付けられている。
【００１４】
上記課題を解決するために、本発明に係る台紙付き製本テープの使用方法は、
上記（１）又は（２）に記載の台紙付き製本テープを準備するステップと、
台紙付き製本テープをプリンターに配置するステップと、
プリンターで台紙付き製本テープの製本テープの表面を印刷するステップと、
プリンターで印刷された台紙付き製本テープから、中央剥離紙と共に台紙を取り外すステップと、
一対の端剥離紙が貼り付けられた製本テープを、本身に貼り付けるステップと、
製本テープから一対の端剥離紙を取り外し、製本テープを本身に貼り付けるステップと、を備える。
【００１５】
好ましくは、
上記（３）に記載の台紙付き製本テープを準備するステップと、
プリンターに設けられた２枚送り防止ローラーに製本テープが接触しないように、台紙付き製本テープをプリンターに配置するステップと、を備える。
【００１６】
好ましくは、
製本機を使って、製本テープを本身に貼り付ける。
【発明の効果】
【００１７】
本発明に係る台紙付き製本テープは、製本テープより大きな台紙を備える。台紙は、製本テープの剥離紙を介して、製本テープが取り付けられる。一般的なプリンター及びそのプリンタードライバーは、製本テープより大きな用紙を印刷できるように構成されている。製本テープが取り付けられた台紙は、製本テープより大きいので、一般的なプリンター及びそのプリンタードライバーを使って、製本テープの表面に文字等を印刷できる。
【図面の簡単な説明】
【００１８】
【図１】台紙付き製本テープを示す斜視図であって、（Ａ）は、製本テープが台紙に取り付けられた状態、（Ｂ）は、中央剥離紙と共に製本テープが台紙から取り外される状態である。
【図２】（Ａ）は、台紙付き製本テープを示す側面図、（Ｂ）は、台紙から取り外されると共に、一対の端剥離紙が貼り付けられた製本テープを示す側面図。
【図３】製本機で製本テープを本身に貼り付けるステップを示す側面図であって、（Ａ）は、製本テープが本身に貼り付けられていない状態、（Ｂ）は、製本テープが本身に貼り付けられた状態である。
【発明を実施するための形態】
【００１９】
以下、図面に基づいて、本発明に係る台紙付き製本テープ及びその使用方法について説明する。
【００２０】
[構成]
先ず、台紙付き製本テープの構成を説明する。
図１の通り、台紙付き製本テープは、小冊子類の本身の背に貼り付けられる製本テープ１と、製本テープ１が取り付けられた台紙４と、を備える。製本テープ１は、長さ寸法Ｌと、幅寸法Ｗ１と、を有する。台紙４は、長さ寸法Ｌと、幅寸法Ｗ０と、を有する。そのため、製本テープ１の長さ寸法Ｌは、台紙４の長さ寸法Ｌと同じである。
【００２１】
台紙４は、製本テープ１より大きく、Ａ４サイズやＢ５サイズ等の予め設定された用紙規格サイズに一致する。本実施形態では、台紙４は、Ａ４サイズに一致しており、長さ寸法Ｌは２９７ｍｍ、幅寸法Ｗ０は２１０ｍｍである。製本テープ１の幅寸法Ｗ１は、本身の厚さ寸法に応じて決定され、本実施形態では、４０ｍｍである。
【００２２】
製本テープ１の長さ寸法Ｌは、本身の長さ寸法と一致する。一般的な場合、本身の大きさは、Ａ４サイズやＢ５サイズ等の用紙規格サイズに一致するので、用紙規格サイズと同じ大きさの台紙４は、本身と同じ大きさになる。
ただし、本身の大きさが用紙規格サイズと異なる場合、製本テープ１の長さ寸法Ｌは、本身の長さ寸法と一致するので、用紙規格サイズの長さと異なる。ところで、台紙４の大きさは、用紙規格サイズに一致する必要があるので、台紙４の大きさは、製本テープ１より大きな用紙規格サイズが採用される。
【００２３】
台紙付き製本テープは、一対の端剥離紙２，２と、中央剥離紙３と、を備える。一対の端剥離紙２，２は、製本テープ１の両側に設けられる。中央剥離紙３は、製本テープ１の中央に設けられる。
なお、本実施形態では、製本テープ１と同じ長さ及び幅寸法を有する一枚の剥離紙が、製本テープ１に貼り付けられて、剥離紙に２本のスリットを入れることで、端剥離紙２，２と中央剥離紙３とが形成される。
【００２４】
一対の端剥離紙２，２は、製本テープ１の長さ寸法Ｌと同じ長さ寸法Ｌと、幅寸法Ｗ２と、を有する。本実施形態では、端剥離紙２の幅寸法Ｗ２は、７．５ｍｍである。
中央剥離紙３は、製本テープ１の長さ寸法Ｌと同じ長さ寸法Ｌと、幅寸法Ｗ３と、を有する。本実施形態では、中央剥離紙３の幅寸法Ｗ３は、２５ｍｍである。
従って、一対の剥離紙２，２の幅寸法Ｗ２，Ｗ２と、中央剥離紙３の幅寸法Ｗ３と、の和は、製本テープ１の幅寸法Ｗ１と一致する。
【００２５】
図２の通り、製本テープ１の裏面１ｂには、粘着剤１０が設けられる。端剥離紙２，２及び中央剥離紙３は、粘着剤１０を介して、製本テープ１に貼り付けられる。端剥離紙２，２及び中央剥離紙３は、製本テープ１から容易に剥がすことができる。
台紙４は、接着剤４０を介して、中央剥離紙３に取り付けられる。台紙４と中央剥離紙３とは、強く接着される。
【００２６】
図２（Ａ）の通り、製本テープ１は、台紙付き製本テープがプリンター２０に搬送されるときに、プリンター２０に設けられた２枚送り防止ローラー１００に引っ掛からないように、台紙４の幅方向の中央線Ｃからオフセットした位置で、台紙４に取り付けられている。一般的に、２枚送り防止ローラー１００は、小さな用紙規格サイズの用紙も印刷できるように、プリンター２０の搬送トレイの一方側にオフセットされて配置される。
【００２７】
[使用方法]
次に、台紙付き製本テープの使用方法を説明する。
先ず、上記の台紙付き製本テープを準備する。次に、プリンター２０に設けられた２枚送り防止ローラー１００に製本テープ１が接触しないように、台紙付き製本テープをプリンター２０に配置する（図２（Ａ））。
【００２８】
次に、プリンター２０で台紙付き製本テープの製本テープ１の表面１ａ（図２（Ａ））を印刷する。一般的なプリンター及びそのプリンタードライバーは、用紙規格サイズの用紙を印刷できるように構成されている。台紙４の大きさは、用紙規格サイズと一致するので、一般的なプリンター及びそのプリンタードライバーで、用紙サイズを新たに設定することなく簡単に、台紙付き製本テープを印刷できる。その際、パーソナルコンピューターの文書作成ソフト及びプリンタードライバーを使って、台紙４の製本テープ１に文字等が印刷されるように調整する。
【００２９】
次に、プリンター２０で印刷された台紙付き製本テープから、中央剥離紙３と共に台紙４を取り外す（図２（Ｂ））。次に、一対の端剥離紙２，２が貼り付けられた製本テープ１を、製本機３０に配置する（図３（Ａ））。本身５は、製本機３０のクランパー１２によってクランプされる。製本機３０は、本身５の背を挟んでその両側から締め付けて成形するニッパー板１３を備える。ニッパー板１３は、基台１４にスライド自在に設置される。ニッパー板１３には、テープガイド１５が一体的に設けられる。
【００３０】
一対の端剥離紙２，２が貼り付けられた製本テープ１を、ニッパー板１３の上に配置する。クランパー１２によって、本身５は製本テープ１の上方に搬送される。本身５の背には、ホットメルト接着剤５０が塗布されている。基台１４が上昇することで、粘着剤１０を介して、本身５の背が製本テープ１に貼り付けられる。
【００３１】
そして、ニッパー板１３が、製本テープ１と共に本身５の背を挟む（図３（Ｂ））。このとき、端剥離紙２，２が製本テープ１に残っているので、製本テープ１の粘着剤１０がクランパー１２に接着することを防止でき、作業性がよい。その後、クランパー１２及びニッパー板１３は、本身５から離れる。次に、作業者が、製本テープ１から端剥離紙２，２を取り外し、製本テープ１を本身５に貼り付ける。
【００３２】
本発明は、上記実施形態に限定されるものではなく、上記構成を適宜変更することもできる。
例えば、上記実施形態では、剥離紙が、端剥離紙２と中央剥離紙３とに分割されているが、分割されていなくても良い。また、上記実施形態では、台紙は、用紙規格サイズであるが、製本テープ１より大きく、かつ、プリンターで印刷できる大きさであれば良い。また、上記実施形態では、製本機３０を使って、製本テープ１を本身５に貼り付けたが、製本機３０を使わずに、作業者の手で製本テープ１を本身５に貼り付けても良い。
【符号の説明】
【００３３】
５  本身
１  製本テープ
１ａ  製本テープの表面
１ｂ  製本テープの裏面
１０  粘着剤
Ｌ  製本テープの長さ
２  端剥離紙
３  中央剥離紙
４  台紙
Ｃ  台紙の幅方向の中央線
２０  プリンター
１００  ２枚送り防止ローラー
３０  製本機
【図１】
0006587315.tif 000002
【図２】
0006587315.tif 000003
【図３】
0006587315.tif 000004